(57)【要約】【課題】フィルターを使用せずに油煙の除去を行うことのできるレンジフードを提供する。【解決手段】調理を開始すると油煙や埃はレンジフード下面の整流板９に衝突したのちに、吸込口１から吸込まれた後にバッフル機構８を通過する。その際、排気ガスの流線がほぼ直角に変更されるため、排気ガス内の油煙及び埃がバッフル機構８に衝突されることとなる。よって、バッフル機構８において油煙・埃が捕集されるため、バッフル機構８以降の通風路７において油煙による汚れが著しく減少する。【選択図】図１
2007247920.tif 000002
【特許請求の範囲】
【請求項１】
調理器の上方または周囲に設置され、吸込口と吐出口と排気ファンを有したレンジフードにおいて、排気ガスの吸込空気の流線を変化することができるバッフル機構を備えたことを特徴とするレンジフード。
【請求項２】
バッフル機構が、複数箇所設置されていることを特徴とする請求項１記載のレンジフード。
【請求項３】
バッフル機構が、排気経路内に複数設置されていることを特徴とする請求項１または２記載のレンジフード。
【請求項４】
吸込口手前において気流の流れを整える整流板を備え、前記整流板とバッフル機構が一体となっていることを特徴とする請求項１〜３のいずれかに記載のレンジフード。
【請求項５】
一体となったバッフル機構と整流板が、前記フード部から取外して分割することができることを特徴とする請求項４記載のレンジフード。
【請求項６】
バッフル機構と整流板において、バッフル機構で捕集した排気ガスの油脂成分を溜める油受け部として利用できるように傾斜していることを特徴とする請求項４または５に記載のレンジフード。
【請求項７】
バッフル機構は折り曲げ部を備え、前記折り曲げ部の一部が開口部を有することを特徴とする請求項１〜６のいずれかに記載のレンジフード。
【請求項８】
バッフル機構の折り曲げ部の開口部が、複数の開口面積を有することを特徴とする請求項７に記載のレンジフード。
【請求項９】
バッフル機構の表面形状に凹凸を設けたことを特徴とする請求項１〜８のいずれかに記載のレンジフード。
【請求項１０】
バッフル機構において、温度低下させることが出来るようにしたことを特徴とする請求項１〜９のいずれかに記載のレンジフード。
【請求項１１】
バッフル機構の折り曲げ部の先端が、起毛形状を有することを特徴とした請求項７〜１０のいずれかに記載のレンジフード。
【請求項１２】
排気風量に応じて、バッフル機構の吸込口の開口面積が変化することを特徴とする請求項１記載のレンジフード。
【請求項１３】
排気風量に応じて、任意のバッフル機構の開口面積が変化することができることを特徴とする請求項１または１２に記載のレンジフード。
【請求項１４】
バッフル機構および整流板の両面を撥水加工していることを特徴とする請求項４〜１３のいずれかに記載のレンジフード。
【請求項１５】
バッフル機構において、整流板の両面を親水性加工していることを特徴とする請求項４〜１３のいずれかに記載のレンジフード。
【発明の詳細な説明】
【技術分野】
【０００１】
本発明はレンジフードの汚れ除去に関するものである。
【背景技術】
【０００２】
従来より、レンジフードには調理で発生する油煙や埃等を捕集する目的として、フィルターなどが取り付けられていた。このフィルターは使用とともに汚れが付着するため、性能が低下したり、捕集部から油垂れが生じるので、定期的な掃除を行う必要があった。また市販されている使い捨ての不織布を吸込み口に貼り付けるなどで掃除の手間を軽減することも行われているが、調理で発生した火によって引火する危険もあった。
【０００３】
また、これら掃除の手間を軽減する目的で、レンジフード下部面に対し開口面積を小さくし吸込用空間を狭くすることで吸込流速を早めて障害物に衝突させることで、排気ガス中の油脂分を収集させることがあった（例えば特許文献１参照）。
【０００４】
以下、その排気装置について、図５を参照しながら説明する。
【０００５】
図５に示すように、調理器具上方に設置されたレンジフード１０１において幅狭な吸引用空間１０２から流速を速めて吸引される廃ガスが、直後の廃ガス衝突板手段１０３に接触し方向変換して排気手段１０４の吸引力による遠心分離作用で含有する油脂分をその廃ガス衝突板手段１０３に付着させ、その付着した油脂分を回収手段１０５で回収する方法である。
【特許文献１】特開２００５−２２６９１５号公報（第１図）
【発明の開示】
【発明が解決しようとする課題】
【０００６】
このような従来のレンジフードでは、吸込み流速を高めるためにレンジフード下面から見て周囲に吸引用空間を幅狭となるように設ける必要があった。また、吸込用空間は、凹凸面を複数設置するため、清掃時のとりはずしによる清掃が困難となってしまうという課題があった。
【０００７】
本発明は、このような従来の課題を解決するものであり、吸込部の構成を簡単にしながら清掃も容易にでき、かつ排気ガス内の油煙を分離、収集することができることを特徴としたレンジフードを提供することを目的としている。
【課題を解決するための手段】
【０００８】
本発明のレンジフードは、上記目的を達成するために、調理器の上方または周囲に設置され、吸込口と吐出口と排気ファンを有したレンジフードにおいて、排気ガスの吸込空気の流線を変化することができるバッフル機構を備えたこと特徴とするレンジフードとしたものである。
【０００９】
この手段により、フィルターを利用せずに排気ガス内の油煙の捕集を行うことができるレンジフードを提供することができる。
【００１０】
また、他の手段は吸込み部を複数箇所設置されているをことを特徴としたものである。
【００１１】
この手段により、排気ガス中の油煙汚れを拡散前に処理することができるレンジフードを提供することができる。
【００１２】
また、他の手段はバッフル機構を有した吸込み部が排気経路内に複数設置されたものである。
【００１３】
この手段により、排気空気中の油煙の捕集効率が向上することができるレンジフードを提供することができる。
【００１４】
また、他の手段はバッフル機構が、吸込み部整流板と一体化としたものである。
【００１５】
この手段により、容易に着脱することができるレンジフードを提供することができる。
【００１６】
また、一体となったバッフル機構と整流板が、前記フード部から取外して分離することができるようにしたものである。
【００１７】
この手段により、掃除時において取外して分割してさせることができるレンジフードを提供することができる。
【００１８】
また、他の手段はバッフル機構と一体化してある整流板が水平面に対し傾斜を有し、バッフル機構で捕集した排気ガスの油脂成分を溜める油受け部として利用できるようにしたものである。
【００１９】
この手段により、捕集した油脂成分を油受け部に集めることができるレンジフードを提供することができる。
【００２０】
また、他の手段はバッフル機構の折り曲げ部の一部が開口部を有するようにしたものである。
【００２１】
この手段により、バッフル機構と開口部通過時に流線が乱れを生じさせることでバッフル機構に油煙を捕集することができるレンジフードを提供することができる。
【００２２】
また、他の手段はバッフル機構の折り曲げ部の開口部に、複数の開口面積を有するものである。
【００２３】
この手段によりバッフル機構による複数の開口面積を有するため開口部通過時に流線が乱れを生じさせることでバッフル機構に油煙を捕集することができるレンジフードを提供することができる。
【００２４】
また、他の手段はバッフル機構の表面形状に凹凸を設けたものである。
【００２５】
この手段により油煙を含む排気ガスが表面積の増加したバッフル板への衝突が増加し油煙捕集性能が向上するレンジフードを提供することができる。
【００２６】
また、他の手段はバッフル機構において、温度低下させることが出来る機能を有したものである。
【００２７】
この手段により排気ガス中の油煙が露点温度以下となることで油煙の捕集を行うことができるレンジフードを提供することができる。
【００２８】
また、他の手段はバッフル機構において、折り曲げ部の先端に金属の歯ブラシによる起毛形状を有したものである。
【００２９】
この手段により排気ガス中の油煙の捕集を行うことができるレンジフードを提供することができる。
【００３０】
また、他の手段はバッフル機構において、吸込口の開口面積が変化するものである。
【００３１】
この手段により開口部通過時に流線が乱れを生じさせることでバッフル機構に油煙を捕集することができるレンジフードを提供することができる。
【００３２】
また、他の手段はバッフル機構において、ダンパーが設けられているものである。
【００３３】
この手段により開口部通過時に流線が乱れを生じさせることでバッフル機構に油煙を捕集することができるレンジフードを提供することができる。
【００３４】
また、他の手段はバッフル機構において、バッフル機構および整流板を撥水加工しているものである。
【００３５】
この手段により清掃時に容易に油煙の清掃が行うことができるレンジフードを提供することができる。
【００３６】
また、他の手段はバッフル機構において、バッフル機構および整流板を整親水性加工しているものである。
【００３７】
この手段により清掃時に容易に油煙の清掃が行うことができるレンジフードを提供することができる。
【発明の効果】
【００３８】
本発明によれば調理器の上方または周囲に設置され、吸込口と吐出口と排気ファンを有したレンジフードにおいて、吸込空気の流線を変化させることができるバッフル機構を備えたものである。この手段により、フィルターを使用せずに排気ガス中の油煙をバッフル機構に付着させ捕集することができるレンジフードを提供できる。
【００３９】
また、他の手段は吸込部のバッフル機構が、複数箇所設置されているものである。この手段により調理時の排気ガスが拡散することなく複数の吸込み部から排気させ油煙を捕集できるレンジフードを提供できる。
【００４０】
また、他の手段は排気経路内に複数回設置されているものである。この手段により、排気ガス内の油煙をバッフル機構に複数回衝突させることができるレンジフードを提供できる。
【００４１】
また、他の手段は吸込み部の整流板と一体となっているものである。この手段により、バッフル機構と整流板を一体化し取り扱うことができるレンジフードを提供できる。
【００４２】
また、他の手段は一体となったバッフル機構と整流板が、前記フード部から取外して分割することができるようにしたものである。この手段により、分割して取り外すことができることから、掃除性能が向上したレンジフードを提供できる。
【００４３】
また、他の手段はバッフル機構と前記整流板の一部が水平面に対し傾斜をなしたものである。この手段により、バッフル機構で捕集した排気ガスの油脂成分を溜める油受け部として利用できるレンジフードを提供できる。
【００４４】
また、他の手段はバッフル機構の折り曲げ部の一部が開口部を有したものである。この手段により、バッフル機構と開口部通過時に流線が乱れを生じさせることでバッフル機構に油煙を捕集することができるレンジフードを提供することができる。
【００４５】
また、他の手段はバッフル機構の折り曲げ部の開口部が、複数の種類の開口面積を有するものである。この手段により、バッフル機構と開口部通過時に流線が乱れを生じさせることでバッフル機構に油煙を捕集することができるレンジフードを提供することができる。
【００４６】
また、他の手段はバッフル機構の表面形状に凹凸を設けたものである。この手段により、排気ガス内の油煙の捕集面積が増加することで捕集性能が向上するレンジフードを提供できる。
【００４７】
また、他の手段はバッフル機構の部材温度を低下させることが出来るようにしたものである。この手段により排気ガス内の油煙の温度が低下し、露点温度に以下となることで、バッフル面の表面に付着する油煙を増加させることができるレンジフードを提供できる。
【００４８】
また、他の手段はバッフル機構の折り曲げ部を起毛形状としたものである。この手段により排気ガス内の油煙捕集性能を向上させることができるレンジフードを提供できる。
【００４９】
また、他の手段は前記排気ファンの運転により、前記バッフル機構の吸込口の開口面積が変化することができるようにしたものである。この手段により排気風量に合わせて開口面積が変化することで、流線の乱れが生じることにより油煙捕集性能を向上させることができるレンジフードを提供できる。
【００５０】
また、他の手段は前記バッフル機構において、折り曲げ部にダンパーが設けられているものである。この手段により排気風量に応じた吸込み口が確保できるレンジフードを提供できる。
【００５１】
また、他の手段はバッフル機構および整流板において、撥水加工しているものである。この手段により汚れの付着を抑制できるレンジフードを提供できる。
【００５２】
また、他の手段はバッフル機構および整流板において、整親水性加工しているものである。この手段により汚れの付着を容易に落とすことができるレンジフードを提供できる。
【発明を実施するための最良の形態】
【００５３】
本発明の請求項１記載の発明は、調理器の上方または周囲に設置され、吸込口と吐出口と排気ファンを有し、排気ガスの吸込空気の流線を変化することができるように金属平板に突起形状を設けることで、吸込気流の流線を変化させて、慣性衝突により、排気ガス内の油煙の捕集ができるという作用を有する。
【００５４】
また、本発明の請求項２記載の発明は、請求項１の内容のバッフル機構をフード部下面に複数箇所に設置することで、排気ガスの油煙を効果的に捕集することができるという作用を有する。
【００５５】
また、本発明の請求項３記載の発明は、請求項１または２の内容に加えバッフル機構が排気経路内に複数回設置されることで、排気ガスの油煙を効率的に捕集することができるという作用を有する。
【００５６】
また、本発明の請求項４に記載の発明は、請求項１〜３の内容に加えバッフル機構が、整流板と一体化としたものである。この手段により容易に着脱することができるいう作用を有する。
【００５７】
また、本発明の請求項５に記載の発明は、請求項４の内容に加え、一体化したバッフル機構と整流板が、取外して分割するようにしたものである。この手段により、バッフル機構と整流板を取り外して分割し、容易に掃除することが可能となるという作用を有する。
【００５８】
また、本発明の請求項６に記載の発明は、請求項４または５の内容に加えバッフル機構と一体化してなる整流板の一部が水平面に対し傾斜を有し、バッフル機構で捕集した排気ガスの油脂成分を溜める油受け部とすることで、捕集した油脂成分を油受け部に集めることができる作用を有する。
【００５９】
また、本発明の請求項７に記載の発明は、請求項１〜６の内容に加えバッフル機構の折り曲げ部の一部が開口部を有することで、バッフル機構と開口部による気流の乱れにより排気ガス中の油脂捕集を向上させることができる作用を有する。
【００６０】
また、本発明の請求項８に記載の発明は、請求項７の内容に加えバッフル機構の折り曲げ部の開口部に、複数の大きさの開口面積を有することで、バッフル機構と開口部による気流の乱れにより排気ガス中の油脂捕集を向上することができる作用を有する。
【００６１】
また、本発明の請求項９に記載の発明は、請求項１〜８の内容に加え表面形状に凹凸を有することで、排気ガスが表面積の増加したバッフル機構へ衝突することで油煙捕集性能が向上するという作用を有する。
【００６２】
また、本発明の請求項１０に記載の発明は、請求項１〜９の内容のバッフル機構に温度の低下させることが出来るペルチェ素子を備えることで、排気ガス中の油煙の温度を低下させ捕集性能が向上するという作用を有する。
【００６３】
また、本発明の請求項１１に記載の発明は、請求項７〜１０の内容のバッフル機構の折り曲げ部に起毛形状となるような金属のブラシ形状を有することで表面積を増加させ、油煙の捕集効率の向上ができる作用を有する。
【００６４】
また、本発明の請求項１２に記載の発明は、請求項１の内容のバッフル機構に吸込口の開口面積が変化することができるようにしたものである。この手段により排気風量に合わせて開口面積が変化することで、流線の乱れが生じることにより油煙捕集性能を向上できる作用を有する。
【００６５】
また、本発明の請求項１３に記載の発明は、請求項１および１２の内容にバッフル機構の折り曲げ部にダンパーが設けられていることにより、排気風量に応じた油煙捕集が向上できる作用を有する。
【００６６】
また、本発明の請求項１４に記載の発明は、請求項１〜１３の内容に撥水加工を行ったものである。これにより清掃時に容易にバッフル機構の清掃が行うことができる作用を有する。
【００６７】
また、本発明の請求項１５に記載の発明は、請求項１〜１３の内容に整親水性加工を行ったものである。この手段により清掃時に容易にバッフル機構の清掃が行うことができる作用を有する。
【００６８】
（実施の形態１）
本発明の実施の形態１を図１〜図３に基づいて説明する。図１は本発明の実施の形態１のレンジフードの側面断面図を示す。図１〜図３に示すように、調理器（図示せず）の上方または周囲に下面に、調理器から発生する油煙や周囲に浮遊する埃を捕集する吸込口１を設けたフード２を設置し、フード２には、天面に屋外と連通したダクト３を介して連通する吐出口４を設け、フード２内部にモータ５と排気ファン６を配設し、この排気ファン６を介し吸込口１と吐出口４を結ぶ通風路７を形成している。また、フード２の吸込口１近傍にはレンジフードの下面に対し、独立して取り外すようにできるバッフル機構８を備えた整流板９が配設されている。また、撥水加工としてフッ素加工を両面に施した整流板９に備えられたバッフル機構８は、フード２の正面側と両サイド面に設けられている。バッフル機構８としては、気流の流線が変えれればよく、例えば、気流の流線を変える邪魔板などがある。
【００６９】
上記構成において、調理器によって調理するとき排気ファン６の運転を開始すると、油煙や埃はレンジフード下面の整流板９に衝突したのちに、吸込口１から吸込まれた後にバッフル機構８を通過する。その際、流線がほぼ直角に変更されるため、排気ガス内の油煙及び埃が、バッフル機構８に慣性衝突されることとなる。よって、バッフル機構８において油煙・埃が捕集されるため、バッフル機構８以降の通風路７において油煙による汚れが著しく減少する。
【００７０】
また、整流板９は、正面から奥側に向けて、捕集した油が溜まるように端部の下部に向けて傾斜するようになっている。油受け１０は、整流板９で溜まった油を受けるように整流板９の最下部に設置される。この油受け１０は油の溜まる量に応じて任意に着脱可能となっている。また、整流板９は各々が留め具１１でフード２本体に保持されているため、各整流板９の汚れに応じて取り外すことが可能となっている。
【００７１】
以上のように本発明の実施１の形態によれば、フィルターを設けることなく排気ガス内の油煙、埃を除去することができるため掃除の頻度を少なくすることが可能になる。また、掃除を実施する場合でも、汚れの状況に応じて整流板９を選んで取外しを行い掃除することができる。
【００７２】
なお、整流板９に対し親水性を有するシラノール基を含む水ガラス系塗料を施す場合においても掃除性能向上でもその効果に変わりはない。
【００７３】
また、バッフル機構８の折り曲げ部の金属表面において平面形状のほか、用途や要求される捕集性能に応じて、網状のもの、パンチングフィルターや波型形状のものバッフル機構８の端部に向かって開口面積を変化させるもの、起毛形状とし金属ブラシを着脱可能としたものであっても折り曲げ部の表面積を増加させるとともに、排気ガスの流線に乱れを生じさせることができれば、油煙の捕集性能向上となるためいずれの手法を用いても構わない。
【００７４】
また、整流板９の傾斜は、任意に決定させることができ、整流板の中央部付近を凹部とさせ油受け部とすることも考えられる。
【００７５】
（実施の形態２）
本発明の実施の形態２を図４に基づいて説明する。実施の形態１と同一部分は同一番号を付し、詳細な説明は省略する。図４は本発明の実施の形態２のレンジフードの側面断面図を示す。
【００７６】
図に示すように、冷熱装置１２が、フード２内部に取り付けられており、冷熱装置１２によりバッフル機構８は冷却されており、バッフル機構８は、周囲のフード２部材の温度と比較し低温となる。冷熱装置１２についてはペルチェ素子を用いることが考えられる。
【００７７】
また、バッフル機構８の折り曲げ部においては、排気ファン６の運転風量に合わせて開口面積の変更ができるダンパー機構１３を有している。ダンパー機構１３は、金属の平板を想定しているが、不燃材料であれば同じ機能を有するといえる。
【００７８】
上記構成において、調理時において排気ファン６の運転時において吸込口１を通過してバッフル機構８を通過する場合、ペルチェ素子によりバッフル機構８は、周囲の温度から部材の温度が低くなり、排気ガス内に含まれる油煙および水蒸気が冷やされるため、水蒸気を多く含んだ排気ガスの場合、露点温度以下となる。排気ガスは急速に冷却されることで、状態変化が発生し液化するため排気ガス中の油煙は粒径が大きくなる。そのため容易にバッフル機構８に付着され捕集されることになる。また、ダンパー機構１３により開口面積が風量に対応し可動することで、風圧の変化によりダンパー機構１３の開度が変化する。そのため、油煙の流線が変化することで、乱流が形成されやすくなることで、油煙がダンパー機構１３に付着することができる。以上からフィルターを用いることなく効果的に油煙を捕集することが可能になる。
【００７９】
邪魔板などのバッフル機構８を複数備え、その複数のバッフル機構８の折り曲げ部に、排気ファン６の運転風量に合わせて開口面積の変更ができるダンパー機構１３を備え、その任意のバッフル機構の開口面積をそのダンパー機構１３で変化させて、油煙を効率良く捕集することが可能となる。
【産業上の利用可能性】
【００８０】
通風路内に複数のバッフル機構を保持する構成により、油煙の汚れをバッフル機構で捕集する排気装置にも適用することができる。
【図面の簡単な説明】
【００８１】
【図１】本発明の実施の形態１のレンジフードを示す側面断面図
【図２】同整流板を示す正面図
【図３】同整流板とバッフル機構を示す図
【図４】本発明の実施の形態２のレンジフードを示す側面断面図
【図５】従来の排気装置を示す図
【符号の説明】
【００８２】
１    吸込口
２    フード
３    ダクト
４    吐出口
５    モータ
６    排気ファン
７    通風路
８    バッフル機構
９    整流板
１０  油受け
１１  留め具
１２  冷熱装置
１３  ダンパー機構
【図１】
2007247920.tif 000003
【図２】
2007247920.tif 000004
【図３】
2007247920.tif 000005
【図４】
2007247920.tif 000006
【図５】
2007247920.tif 000007